(57)【要約】  【課題】栽培中の作物の葉色をリアルタイムで検査すると共に、その時の葉色によって適正な施肥手段情報が直ちに得られ、きめ細かな生育調整ができるようにした植物栽培生育調整用指標具を提供する  【解決手段】紙等からなる平板状物の指標具１に折り目１ａを設けて複数の帯状部２を形成し、この帯状部２の表面に作物の葉色変化を一定の範囲内で連続的にカラー表示した葉色表示帯部３〜７を形成する。各葉色表示帯部３〜７の端部に作物の種類を絵柄で表示し、最上位の帯状部に各葉色表示帯部３〜７の葉色に対応する施肥手段を表示した施肥欄１１を設け、更に最下位の帯状部に赤線８により理想葉色の範囲を表示する。指標具１の四隅部に止め具１３を設け、前記各折り目１ａを山形に折り曲げると共に止め具１３を係合させることで指標具１を六角形の筒状物に容易に変形し得るように構成する。筒状物の端部には紐通し用の小孔１４を設ける。【選択図】  図１
2005124503.tif 000002
【特許請求の範囲】
【請求項１】
平板状物に少なくとも一種類の農作物又は果物の栽培中における葉色の変化を一定の範囲内で連続的にカラー表示した葉色表示帯部を備え、且つこの葉色表示帯部の近傍に前記葉色の変化に対応する施肥手段を表示した施肥欄を設けて成る植物栽培生育調整用指標具。
【請求項２】
前記葉色表示帯部が複数種類の農作物又は果物にグループ別に分類され、前記一つの施肥欄に対応して複数帯並設されていることを特徴とする請求項１記載の植物栽培生育調整用指標具。
【請求項３】
前記平板状物は止め具を介して多角形の筒状物に変形できると共に、前記止め具を外せば元の平板状物に分解できるように形成され、前記筒状物の各表面に前記複数の葉色表示帯部がそれぞれ一つずつ位置するように構成されていることを特徴とする請求項２記載の植物栽培生育調整用指標具。
【請求項４】
前記筒状物が予め一体に形成されていることを特徴とする請求項３記載の植物栽培生育調整用指標具。
【発明の詳細な説明】
【技術分野】
【０００１】
本発明は、農作物又は果物等の栽培中における葉色を調べ、その葉色に応じて適正な肥料を施して生育を調整できるようにした植物栽培生育調整用指標具に関する。
【背景技術】
【０００２】
農作物又は果物等の生産者において、栽培中の作物の葉色変化に注目し、この葉色変化に応じて施肥を調整し、適正な生育環境を保つことが知られている。作物は葉の部分に葉緑素を有しており、この葉緑素により光合成を行うが、葉緑素の量や状態に起因する葉色の濃淡によって生育状態を判断することも行われている。肥料成分のうち、特に窒素成分の欠乏又は過剰によって葉色は大きく変化し、この葉色変化を正しく観察することにより窒素栄養の状態を把握できると考えられている。
【０００３】
上記の観点に基づき、例えば葉色変化を農作物の栽培管理に適用した例が特許文献１に記載されている。この特許文献１の実施例では稲作を対象としており、稲の葉の表面を色票に当てて葉の表面の特性に近似した光散乱性や表面色を対比するものである。この場合、色票の色片の表面に微細な凹凸を筋状に設けて光散乱性を付与し、稲の葉の表面に近似させることにより葉の表面の色判断が適確にできるようにしてある。
又、下記の特許文献２には、稲の生育診断法の中に、稲の葉色と全く同じ立体的で微妙な色彩を、淡緑色から濃緑色まで７段階から８段階に区分して併列した葉色診断板を作成し、これを用いて稲の栄養状態即ち葉色の適否を判定する方法が記載されている。この場合、稲の生育診断に葉色診断板を導入することにより、各生育段階毎に茎数と草丈と葉色の三つの生育条件を組み合わせ、安定した多収を得るための理想の生育型を数値で表現できるようにしてある。
【特許文献１】実願昭５４−１０８１９８号（実開昭５６−２５２３６号）のマイクロフィルム
【特許文献２】特開昭５１−１００４０５号公報
【発明の開示】
【発明が解決しようとする課題】
【０００４】
上記のような従来技術によると、作物（稲）の葉色と色票又は葉色診断板の色とを対比することで作物の生育状態を判断することは可能であるが、作物の葉色が適正でないという判断が下された場合に、それを改良するためにどのような施肥手段を採ったら良いかの指標を得ることはできない。従って、経験に基づいた施肥手段を採らざるを得ない。又、
通常は生育段階に合わせて数ヶ月置きに葉色を検査する方式であるから、検査期間の中間で生じる葉色変化は検査の対象とはならない。一般に、作物は養分の過不足や水管理が葉色に大きく影響し、自然条件では太陽光線や気温等が葉色変化に影響し、これに作物の持つ特性や品種の影響が加わる。従って、所定の期間毎に葉色を調べるだけでは、その間における葉色変化の状況を把握することはできず、そのためきめ細かな生育調整が不可能となる。更に、従来の色票又は葉色診断板は一種類の作物にしか適用できないものであり、又持ち運びに不便であり、使い勝っても良くないという問題があった。
【０００５】
本発明は、このような従来技術における問題点を解決するためになされ、作物の葉色をリアルタイムで検査すると共に、その時の葉色によって適正な施肥手段情報が直ちに得られ、きめ細かな生育調整ができるようにし、数種類の作物に適用でき、且つ持ち運び及び使い勝手の良好な植物栽培生育調整用指標具を提供することを目的とする。
【課題を解決するための手段】
【０００６】
上記の目的を達成するための手段として、本発明の請求項１は、平板状物に少なくとも一種類の農作物又は果物の栽培中における葉色の変化を一定の範囲内で連続的にカラー表示した葉色表示帯部を備え、且つこの葉色表示帯部の近傍に前記葉色の変化に対応する施肥手段を表示した施肥欄を設けて成る植物栽培生育調整用指標具を要旨とする。
【０００７】
本発明の請求項２は、請求項１記載の植物栽培生育調整用指標具において、前記葉色表示帯部が複数種類の農作物又は果物にグループ別に分類され、前記一つの施肥欄に対応して複数帯並設されていることを特徴とする。
【０００８】
本発明の請求項３は、請求項２記載の植物栽培生育調整用指標具において、前記平板状物は止め具を介して多角形の筒状物に変形できると共に、前記止め具を外せば元の平板状物に分解できるように形成され、前記筒状物の各表面に前記複数の葉色表示帯部がそれぞれ一つずつ位置するように構成されていることを特徴とする。
【０００９】
本発明の請求項４は、請求項３記載の植物栽培生育調整用指標具において、前記筒状物が予め一体に形成されていることを特徴とする。
【発明の効果】
【００１０】
上記請求項１の発明によれば、平板状物の植物栽培生育調整用指標具に葉色表示帯部を備え、この葉色表示帯部は少なくとも一種類の農作物又は果物の栽培中における葉色の変化を一定の範囲内で連続的にカラー表示してあるため、栽培途中の任意の時期において作物の葉色を調べることができ、且つ葉色表示帯部の近傍に設けた施肥欄に葉色の変化に対応する施肥手段が表示されているため、葉色を調査した時点での適正な施肥情報が直ちに得られる。従って、栽培中のいかなる時期においても、前記植物栽培生育調整用指標具を用いることによりリアルタイムできめ細かな生育調整を行うことができる。
【００１１】
上記請求項２の発明によれば、請求項１の植物栽培生育調整用指標具における葉色表示帯部は一種類の作物についてではなく、生育過程が類似する複数の作物がグループ別に分類され、前記一つの施肥欄に対応して複数帯並設されているため、調査対象とする作物の範囲が広がり、複数種類の作物を栽培する生産者にとっては非常に便利な植物栽培生育調整用指標具となる。
【００１２】
上記請求項３の発明によれば、請求項２の平板状物の植物栽培生育調整用指標具を折り曲げて止め具で固定することにより多角形の筒状物に変形することができ、その外周面には複数の葉色表示帯部がそれぞれ表面に一つずつ位置するようにしてあるため、使用時に持ち運びに便利であると共に、グループ別に分類されたいずれかの葉色表示帯部を選択して使用することができる。又、前記止め具を外せば植物栽培生育調整用指標具を元の平板状物に戻することができ、非使用時での持ち運びの際に場所をとらずに便利である。
【００１３】
上記請求項４の発明によれば、請求項３の植物栽培生育調整用指標具において、前記筒状物が予め一体に形成されているため、平板状に戻すことはできないが筒状物に変形する手間が省ける。
【発明を実施するための最良の形態】
【００１４】
以下、本発明に係る植物栽培生育調整用指標具の実施形態を添付図面に基づいて説明する。図１は、本発明に係る植物栽培生育調整用指標具の一実施形態を示す平面図である。図２は、本発明に係る植物栽培生育調整用指標具を多角形の筒状物に変形した時の状態を示す斜視図である。
【００１５】
図１において、１は植物栽培生育調整用指標具（以下、単に「指標具」と称することがある）であり、例えば上質紙によって所定の大きさの長方形に形成され、その長手方向に複数の折り目１ａを等間隔で設けて複数の帯状部２に区分してある。この場合は、６本の折り目１ａを設けて７つの帯状部２に区分してある。この指標具１は上質紙に限らず、厚紙、木板、プラスチック板、金属板等の他の材質であってもよい。プラスチック板の場合には、前記折り目１ａは薄肉ヒンジ状に形成し、金属板の場合には、錆びない材質例えばＳＵＳを用いて７つの帯状部２を分離形成し、それらの突き合わせ部分の裏面側に接着テープ（図略）を貼って折り目１ａとし、この接着テープを介して７つの帯状部２を接着一体化して指標具１を構成する。木板の場合も接着テープを介して指標具１を構成することができる。尚、紙製の場合には、防水のため表面を透明のプラスチックでコーティング加工することが好ましい。
【００１６】
上記指標具１の表面には、作物の葉色変化をカラー印刷した葉色領域Ｒが設けられている。この葉色領域Ｒ内においては、一種類又は複数種類の作物をグループ別に分けて前記帯状部２に振り分けてある。具体的に説明すると、図１で上から２番目の帯状部２はイチゴの葉色変化を連続的にカラー表示した第１の葉色表示帯部３であり、この第１の葉色表示帯部３は左方に行くに従って濃緑色系に表示され、右方に行くに従って漸次淡緑色系に表示され、右寄りの端部にはイチゴの絵柄３ａが印刷されている。
【００１７】
又、図１で上から３番目の帯状部２は、ナス、キュウリ、ピーマンの葉色変化を連続的にカラー表示した第２の葉色表示帯部４であり、この第２の葉色表示帯部４も左方に行くに従って濃緑色系に表示され、右方に行くに従って漸次淡緑色系に表示され、右寄りの端部にはナスの絵柄４ａ、キュウリの絵柄４ｂ、ピーマンの絵柄４ｃが印刷されている。
【００１８】
更に、図１で上から４番目の帯状部２は、ブロッコリ、キャベツ、ホウレンソウの葉色変化を連続的にカラー表示した第３の葉色表示帯部５であり、この第３の葉色表示帯部５も左方に行くに従って濃緑色系に表示され、右方に行くに従って漸次淡緑色系に表示され、右寄りの端部にはブロッコリの絵柄５ａ、キャベツの絵柄５ｂ、ホウレンソウの絵柄５ｃが印刷されている。
【００１９】
同様に、図１で上から５番目の帯状部２は、アスパラガス、ニンジン、タマネギ、ジャガイモの葉色変化を連続的にカラー表示した第４の葉色表示帯部６であり、この第４の葉色表示帯部６も左方に行くに従って濃緑色系に表示され、右方に行くに従って漸次淡緑色系に表示され、右寄りの端部にはアスパラガスの絵柄６ａ、ニンジンの絵柄６ｂ、タマネギの絵柄６ｃ、ホウレンソウの絵柄６ｄが印刷されている。
【００２０】
そして、図１で上から６番目の帯状部２は、トマトの葉色変化を連続的にカラー表示した第５の葉色表示帯部７であり、この第５の葉色表示帯部７も左方に行くに従って濃緑色系に表示され、右方に行くに従って漸次淡緑色系に表示され、右寄りの端部にはトマトの絵柄７ａが印刷されている。
【００２１】
これら各葉色表示帯部３〜７における葉色変化のカラー表示は、作物の種類の相違からして当然色調がずれているが、各葉色表示帯部３〜７に対応する理想の葉色が分かるように、上から７番目（最下位）の帯状部２に理想葉色の範囲を示す赤線８を印刷し、且つその赤線８の下に「理想葉色」の文字を付記してある。この最下位の帯状部２には、目盛りを付けた第１のメジャー部９が設けられている。又、指標具１の左端部（葉色領域Ｒの左端部に近接する部分）には、目盛りを付けた第２のメジャー部１０が設けられている。
【００２２】
上記指標具１の最上位の帯状部２は、葉色の変化に対応する施肥手段を表示した施肥欄１１が設けられている。この施肥欄１１は、前記各葉色表示帯部３〜７に共通する施肥手段を表示したもので、葉色変化に対応して複数領域に区分１１ａされ、各区分１１ａの領域内で使用すべき資材例１２が具体的に名称で例示されている。本発明では、具体的な資材例１２としては葉面散布肥料（例えば、エーザイ生科研株式会社製の商品名「メリット」）であって、含有成分又は成分含有量の相違によって三種類（青、黄、赤）に分類されている。ちなみに、この三種類の葉面散布肥料の含有成分及び成分含有量を表１に示す。施肥欄１１に記載する資材例１２は上記葉面散布肥料に限らず、他の肥料等の場合も適用することができる。
【００２３】
【表１】
2005124503.tif 000003
【００２４】
上記指標具１の四隅部には止め具１３がそれぞれ取り付けられ、最上位帯状部２の止め具１３と最下位帯状部２の止め具１３とがそれぞれ対応して係合し、自在に嵌め外しできるようにしてある。この止め具１３としては、例えばスナップやホックその他適宜の止め具を使用することができる。
【００２５】
又、指標具１の左右端部のいずれか１箇所に紐通し用の小孔１４が設けられている。この場合には、紐通し用の小孔１４は上から６番目の帯状部２の左端部に位置させてある。更に、指標具１の右端部の余白部に注意書き１５の文言を印刷してある。尚、指標具１が紙製以外の例えばプラスチックや木板や金属で形成されていて、表面に印刷できないような場合には、前記各帯状部での表示事項を紙に印刷し、この印刷紙を各帯状部に貼着するようにすればよい。
【００２６】
次に、上記のように構成されている指標具１の使用方法に付いて説明する。
例えば、トマトの栽培に適用した場合について説明すると、栽培途中での任意の時点でトマトの葉に前記第５の葉色表示帯部７を当て、トマトの葉色と第５の葉色表示帯部７の色とを合わせる。この時、トマトの上から２番目の葉を選択して比色することが好ましい。上から２番目の葉は、活動中心葉のうちで最も安定した葉色を持っているとされているからである。
【００２７】
トマトの葉色と第５の葉色表示帯部７の色との合致点又は酷似点が判明したら、その点から真っ直ぐ上の前記施肥欄１１の区分１１ａ内を見ると、当該葉色時点での施肥手段の情報が直ちに得られる。これにより、指示されている前記葉面散布肥料を、３００〜４００倍に水で稀釈し、必要量を３〜５日おきに３回以上／日散布する。尚、指標具１の裏面側に葉面散布肥料の用法、特に稀釈倍率、散布量、散布回数等を印刷により表示しておくと好都合である。
【００２８】
一般に、葉色が理想葉色より緑色が濃い時には、茎が徒長し易く花とびが心配されるため、前記メリット赤を用いて徒長抑制及び花芽分化を図り、葉色が理想葉色より緑色が淡い時には、生育勢いが低下して果実肥大低下が心配されるため、前記メリット青を用いて生育促進及び葉色改善を図る。葉色が理想葉色に近い時には、生育状態は良好であり、この生育状態を維持するため、前記メリット黄ないしメリット青を用いて根茎肥大、花芽分化、着果促進及び果実肥大を図る。
【００２９】
栽培トマトの本数は数多くあり、それらの生育度合は通常不揃いになるため葉色検査は１本ずつ行うことが好ましく、それぞれ葉色の違いによる施肥手段の情報に従って葉面散布肥料を散布すれば、生育状態を概ね均一に揃えることができると共に、各トマトの葉色を前記赤線８で示す理想葉色の範囲内に短期間で近付けることができる。従って、きめ細やかな育成調整が可能となる。又、前記第１のメジャー部９又は第２のメジャー部１０を利用して、トマトの茎の高さや太さ或は葉の大きさ等を計測することができ、育成状態の参考にすることができる。
【００３０】
図２に示すのは、上記指標具１の他の使用形態を示すもので、平板状物で使用するのではなく多角形の筒状物に変形させて使用する例である。このように変形させるには、前記折り目１ａに沿ってそれぞれ山形折り（折り目１ａを外側に向けて折る）すると共に、上下端部の帯状部を重ね合わせ、前記上下の止め具１３をそれぞれ嵌め合わせる。これにより、簡単に筒状物を作ることができ、本発明では断面正六角形の筒状物に変形させることができる。
【００３１】
又、前記指標具１の小孔１４に紐１６を通して首に掛けたり、手首に嵌めたり或は腰にぶら下げるようにすると、現場での持ち運びに便利であり、葉色検査がし易くなり、又指標具１の紛失の心配がなくなる。
【００３２】
上記正六角形筒状物の指標具１における各表面には、前記第１の葉色表示帯部３〜第５の葉色表示帯部７と施肥欄１１とがそれぞれ一つずつ位置するようにしてあるため、作物によっていずれかの葉色表示帯部を選択使用することができ、且つ指標具１を軸線回りに回転させることで施肥欄１１を見ることができる。尚、前記第１のメジャー部９は施肥欄１１の背面側（内側）に重合しているため、メジャーとしての計測機能は失われるが、前記第２のメジャー部１０は外周面に沿って露出しているため少なくとも茎の太さは計測することができる。茎の高さや葉の大きさを計測したい時には、前記止め具１３を外し、指標具１を元の平板状物に戻せば第１のメジャー部９を使用することができる。使用後に、再び止め具１３で止めれば指標具１を筒状物に容易に戻すことができる。
【００３３】
作業終了後は、指標具１を筒状物の状態のまま持ち運びしてもよいが、平板状物に戻せば折り目１ａに沿って折り畳むことができ、持ち運びの際に場所を取らずに便利である。
【００３４】
このようにして、指標具１は平板状物と筒状物とで相互に変形できるように構成したが、変形が不能で平板状物のみの状態又は筒状物のみの状態で使用できるように構成してもよい。又、前記帯状部の数を増やすことにより葉色適用作物の種類の増大を図ることが可能であり、これにより筒状物の形態は六角形に限定されず、例えば八角形にすることもできる。これとは逆に、帯状部の数を減らすことも可能であり、筒状物の形態を三角形、四角形或は五角形で実施することが可能である。更に、筒状物のみの状態で使用する場合には、その筒状物をプラスチックや金属等で予め一体に形成することも可能である。
【産業上の利用可能性】
【００３５】
上記実施形態ではトマトの葉色の例で説明したが、本発明に係る指標具は、前記絵柄で示した農作物や果物の他にも例えば、ネギ、ニンニク、レタス、ハクサイ、セロリ、コマツナ、ニラなどの葉菜類、ダイコン、カブ、ゴボウ、ショウガ、レンコンなどの根菜類、スイカ、メロン、カボチャ、カンピョウ、カンショ、コンニャク、トウモロコシ、インゲン、エンドウなどの果菜類、ブドウ、カキ、リンゴ、ナシ、ミカン、ハッサク、ネーブル、アマナツなどの果物類、キク、カーネーションなどの園芸花卉類、チャ（茶）、スイトウ（水稲）その他の植物栽培の生育調整用指標具として広く適用できるものである。
【図面の簡単な説明】
【００３６】
【図１】本発明に係る植物栽培生育調整用指標具の一実施形態を示す平面図である。
【図２】本発明に係る植物栽培生育調整用指標具を多角形の筒状物に変形した時の状態を示す斜視図である。
【符号の説明】
【００３７】
１  指標具
２  帯状部
３  第１の葉色表示帯部
４  第２の葉色表示帯部
５  第３の葉色表示帯部
６  第４の葉色表示帯部
７  第５の葉色表示帯部
８  赤線
９  第１のメジャー部
１０  第２のメジャー部
１１  施肥欄
１２  資材例
１３  止め具
１４  小孔
１６  紐
【図１】
2005124503.tif 000004
【図２】
2005124503.tif 000005